(57)【要約】【課題】廃棄物処理施設における施設内圧を常に大気圧に比べて負の圧力にコントロールして、廃棄物処理の過程で発生する粉塵や臭気等が施設外の大気に拡散しない建物内負圧コントロール、集塵、ガス処理型システム及び建物内負圧コントロール、集塵、ガス処理方法を提供する。【解決手段】本発明の廃棄物処理施設の建物内負圧コントロールシステムは、廃棄物処理施設の外側建物内１と内側建物内２の圧力を大気圧に比べて負の圧力にコントロールするコントロール手段と粉塵を除去する集塵手段９と空気又はガスを誘導する通風手段１０と臭気を除去する脱臭手段１１と有害ガスを除去する有害ガス除去手段１２を具えることを特徴とする。【選択図】図１
2007163113.tif 000002
【特許請求の範囲】
【請求項１】
一般廃棄物や産業廃棄物等の処理施設等において、廃棄物処理施設内の空気が大気に直接接触しないように、廃棄物処理施設全体を外部建物と内部建物の２重の建物で覆い、さらに建物の内部の気圧が大気圧と比べて負圧になるようにコントロールすることにより、取り扱う廃棄物等から発生する粉塵や有害ガス、臭気などを大気中に放出させないことを特徴とする気圧コントロール法。
【請求項２】
一般廃棄物や産業廃棄物等の処理施設等において、入り口の扉を２段以上設置することにより、大気圧と比べて負圧になるようにコントロールされた建物内部の気圧が、建物の入り口の扉の開閉による処理施設内減圧効果の減衰を減らし、建物内部の圧力を大気圧より負圧にコントロールすることにより、投入した廃棄物等から発生する粉塵や有害ガス、臭気などが大気中に放出させないことを特徴とする気圧コントロール法。
【請求項３】
外部建物もしくは内部建物もしくは外部内部両方の建物の圧力コントロール用の吸引ブロアーを設置し、更にその吸引ブロアーの前工程もしくは後工程に集塵設備や消臭設備を設置することを特徴とする請求項１及び請求項２記載の気圧コントロール法。
【発明の詳細な説明】
【技術分野】
【０００１】  本発明は、一般廃棄物や産業廃棄物等の処理施設等を建物内に設置し、その建物の内部の圧力をコントロールするシステム及び方法に関する。
【背景技術】
【０００２】  従来の一般廃棄物や産業廃棄物等の処理施設等では、施設自体が屋外にあり、風雨や大気と廃棄物処理施設が、直接接触する大気開放型であった。【０００３】  しかし、一般廃棄物や産業廃棄物等の処理施設等が屋外にあり、風雨や大気と処理施設が接触するような環境下においては、大気と直接接触している処理施設の各フランジ部分や廃棄物の投入口などから、投入した廃棄物等から発生する粉塵や有害ガスなどが大気中または雨水中へ放出されるという問題がある。【０００４】  また、例え廃棄物処理施設等が建物の内部にある施設であったとしても、建物はせいぜい一重であり、本特許のように二重の建物に覆われているものはない。そのため、廃棄物処理施設等への廃棄物の搬入の際には建物の外部の空気と内部の空気が直接接触することになるうえ、搬入車両やその作業員の衣服を介して、投入した廃棄物等から発生する粉塵や有害ガスなどが大気中または雨水の中へ放出されるという可能性がある。【０００５】  さらに、風雨や大気と廃棄物処理施設等が接触するような環境下においては、酸性雨等の有害ガスによる処理施設の金属部分の腐食や、大気と直接接触している処理施設のフランジや廃棄物の投入口などから、投入した廃棄物等から発生する粉塵や有害ガス等による施設自体の汚染や老朽化の促進も問題となっている。
【特許文献１】
【発明の開示】
【発明が解決しようとする課題】
【０００６】  本発明は、一般廃棄物や産業廃棄物等の処理施設等を、外部建物と内部建物で二重に覆うことにより、建物外部の大気と建物内部のプラント設備及び廃棄物が直接接触することなく、また、投入した廃棄物等から発生する粉塵や有害ガスなどが大気中に放出されることを徹底的に防ぐ方法である。
【課題を解決するための手段】
【０００７】  上記目的を達成するため、一般廃棄物や産業廃棄物等の処理施設等を二重の建物で覆い、処理施設内の圧力を大気圧に比べて負の圧力にコントロールするコントロール手段と粉塵を除去する集塵手段９と空気又はガスを誘導する通風手段１０と臭気を除去する脱臭手段１１と有害ガスを除去する排ガス処理手段１２を具えることにある。【０００８】  集塵設備として乾式のバグフィルターを使用するのが、水処理不要という点で好ましい。【０００９】  集塵設備により捕集した粉塵や煤塵等のダストは、他の一般廃棄物や産業廃棄物等と共に、再度処理施設にて溶融処理することが好ましい。【００１０】  一般廃棄物や産業廃棄物の処理施設等の建物の内圧を、大気圧より常に低く保つように、大気圧と施設内の圧力を圧力計にて監視して通風手段１０でコントロールする。その通風手段は、１〜３基の通風装置を集塵装置と一緒に設置し、処理施設内と外圧の差により、同時に運転する通風装置の基数若しくは通風装置の出力により調整する。【００１１】  脱臭手段１１は、大気汚染防止法等の法律で悪臭基準に挙げられている項目の臭気成分を脱臭する装置を設置するのはもちろんのこと、処理施設で処理する一般廃棄物や産業廃棄物の性状により、適宜脱臭項目を追加して対応する。【００１２】  作業員が廃棄物処理施設等に出入りする際、または、廃棄物処理施設の外部建物と内部建物を行き来する際には、廃棄物処理施設の入り口及び内部建物の入り口の間を二重扉にし、そこにエアシャワー５等の装置を設置して、常に作業員の服や髪や皮膚に付着した粉塵や臭気や虫等を除去して、内部建物から外部建物へ、または外部建物から廃棄物処理施設の施設外に、環境の汚染源と粉塵や臭気や虫等を施設外部へ持ち出さないようにする。【００１３】  本発明の廃棄物処理施設の建物内圧力コントロール方法は、廃棄物処理施設の建物内の圧力を大気圧に比べて負の圧力にコントロールするコントロール工程と空気又はガスを誘導する通風工程と粉塵を除去する集塵工程と臭気を除去する脱臭工程と有害ガスを処理する有害ガス除去工程を具えることにある。
【発明の効果】
【００１４】  本発明により、廃棄物処理施設における粉塵、異臭、有害ガス等が抑制され、労働者の作業環境が改善される。【００１５】  また、施設周辺への影響も抑制され、粉塵、異臭、有害ガス等による環境への被害や、周辺住民への健康被害が著しく低減する。【００１６】  さらに、集塵設備により回収された粉塵等は、再度溶融処理を行うことによりスラグ中へ取り込まれるため、無害に処理することが可能である。
【発明を実施するための最良の形態】
【００１７】  以下、本発明の実施形態について、図面を参照しながら説明する。
図１〜図７は、廃棄物処理施設の内圧を、大気圧に比べて常に負の圧力にコントロールして、粉塵や臭気等が大気に拡散しないようにコントロールする手段又は装置のフローチャートを示したものである。【００１８】  図１に示す廃棄物処理施設の施設内圧コントロールシステムは、主として、コントロール手段と粉塵を除去する集塵手段９と空気又はガスを誘導する通風手段１０と臭気を除去する脱臭手段１１と有害ガスを除去する排ガス処理手段１２によって構成されている。【００１９】  コントロール手段は、廃棄物処理施設の施設内圧力と、廃棄物処理施設外の圧力すなわち大気圧とを常に監視して、大気圧より廃棄物処理施設内の圧力が負の圧力となる、つまり廃棄物処理施設内圧力が大気圧より低くなるように、通風手段１０で調整を行うようにする。【００２０】  例えば、廃棄物処理施設内１の圧力と大気圧の差がほぼ零に近づいてきた場合、通風手段１０を運転開始するか、運転中なら通風装置の回転数を上げて、廃棄物処理施設内の空気又はガス等を強制的に誘引して廃棄物処理施設外に放散する。また、廃棄物処理施設内の圧力と大気圧の差が大きく開いてきた場合、通風手段１０の運転を停止するか、又は運転しながら通風装置の回転数を下げて廃棄物処理施設内の圧力が真空にならないように調整する。また外部建物と内部建物の圧力についても同様の調整にて、外部建物１よりも内部建物２の圧力のほうが負圧になるようにする。【００２１】  廃棄物処理施設の施設内の空気又はガスを誘引し、大気へ放散する通風手段１０としては、例えば通風装置（ブロアやファンやコンプレッサー等）が挙げられる。【００２２】  通風手段１０において、二段以上の通風装置を設けることも、廃棄物処理施設内の圧力が変動しても敏速に対応する点で好ましい。【００２３】  例えば、通常通風装置一台の能力で廃棄物処理施設内の空気又はガス等を処理する場合と二台の通風装置で行った場合は、一台で廃棄物処理施設内の圧力をコントロールするより、二台以上で廃棄物処理施設内の圧力をコントロールする方が圧力の変動が少なくなる点で好ましい。【００２４】  また、通風手段１０にルーツブロアーを使用した場合、ブロアーの回転数を下げると流体の吐出圧力が減少してしまうので、ブロアーを常に運転条件の良い７０〜８５％の状態で、廃棄物処理施設内の圧力と大気圧との差に応じて運転するブロアーの数を変えることが処理効率を向上させる上で好ましい。【００２５】  また、通風手段１０によって誘引した空気又はガス中に含まれる粉塵を、集塵手段９で捕集する。その際、捕集したダストは、溶融施設７でスラグ８化することが廃棄物処理の点から好ましい。【００２６】  さらに、通風手段１０によって誘引した空気又はガス中に含まれる臭気を、脱臭手段１１で除去する。
脱臭手段１１は、大気汚染防止法等の法律で悪臭基準に挙げられている項目の臭気成分を脱臭する装置を設置するのはもちろんのこと、廃棄物処理施設で処理している廃棄物の性状により、適宜脱臭項目を追加して対応することが好ましい。【００２７】  次に、本発明に従う廃棄物処理施設の気圧コントロール方法の一例を以下で説明する。
まず、コントロール手段は、廃棄物処理施設内の圧力と、廃棄物処理施設外の圧力すなわち大気圧とを常に監視して、大気圧より廃棄物処理施設内の圧力が、例えば−１０ｍＰａから−１．０Ｐａ（＝−１，０００ｍＰａ）の圧力となるように、通風手段１０を運転して廃棄物処理施設内の圧力調整を行うことが好ましい。【００２８】  次に、通風手段１０は、廃棄物処理施設の施設内の空気又はガスを誘引し、大気へ放散する。しかし、廃棄物処理施設内の圧力と大気圧の差が例えば１．０Ｐａ以上の場合、通風手段１０の運転を停止するか、又は運転しながら通風装置の出力値８０％の回転数を、出力値で３０％〜５０％まで下げて廃棄物処理施設内の圧力が真空にならないようにする。【００２９】  通風手段１０によって誘引した空気又はガスを、廃棄物処理施設の施設外の大気へ放散する前で、空気又はガス中に含まれる粉塵を例えばバグフィルターのような集塵手段９で捕集することがダストの除去効率を向上する上で好ましい。【００３０】  集塵手段９で空気又はガス等中に含まれる粉塵を除去した後、脱臭手段１１で臭気を取り除く。【００３１】  集塵手段９で空気又はガス等中に含まれる粉塵を除去した後、臭気を除去する脱臭手段１１を設置する場合は、脱臭機能を阻害する粉塵を既に除去しているため、臭気除去効率を向上させる上で好ましい。【００３２】  通風手段１０によって誘引した空気又はガス中に含まれる臭気を脱臭手段１１で除去して、その後、集塵手段９にて粉塵を除去する方法もある。この場合、通風手段１０によって誘引した空気又はガス中に、装置に対して腐食作用の含まれるガスの性状の場合、集塵手段９にて粉塵除去の前に脱臭手段１１で臭気及びガスを除去する方法が、装置の腐食対策として好ましい。【００３３】  上述したところは、この発明の実施形態の一例を示したにすぎず、請求の範囲において種々の変更を加えることができる。
【実施例１】
【００３４】  本発明の廃棄物処理施設建物内負圧コントロールシステム（図１）を用いて、廃棄物処理施設の施設内の圧力をコントロールした場合（発明例）の圧力を計測したところ、常に負の圧力であることを確認できた。また、粉塵や臭気の漏れがないか、廃棄物処理施設周辺の粉塵の濃度（浮遊粒子状物質）と臭気の濃度（悪臭物質）を計測した。最初の計測と最初の計測から１ヶ月後に行った計測の値を比較したところほとんど差は見られなかった。下表に計測結果を示す。
計測結果から、周辺環境への影響は、ほとんどないものと考えてよい。
【表１】
2007163113.tif 000003
【表２】
2007163113.tif 000004
【産業上の利用可能性】
【００３５】  本発明によれば、廃棄物処理施設等において廃棄物から発生する施設内の粉塵や臭気や虫等が廃棄物処理施設の施設外に持ち出され粉塵や臭気や虫等が飛散し環境を汚染することを防止できる。廃棄物処理における環境汚染が問題となっている対応への一環として、本発明のシステムは大きく寄与できる。
【図面の簡単な説明】
【００３６】
【図１】  本発明に従う廃棄物処理施設等の建物内負圧コントロール、集塵、排ガス処理システムの代表的なフローチャートである。
【符号の説明】
【００３７】  １    外側建物
２    内側建物
３    二重扉（内側）
４    二重扉（外側）
５    エアシャワー
６    圧力計（内側建物内圧、外側建物内圧、大気圧）
７    還元溶融処理施設（溶融炉）
８    スラグ
９    集塵装置（バグフィルター）
１０  通風設備（誘引通風機）
１１  脱臭設備
１２  有害ガス除去装置
１３  煙突
【図１】
2007163113.tif 000005
【図２】
2007163113.tif 000006
【図３】
2007163113.tif 000007
【図４】
2007163113.tif 000008
【図５】
2007163113.tif 000009
【図６】
2007163113.tif 000010
【図７】
2007163113.tif 000011
【手続補正書】
【提出日】平成18年3月6日(2006.3.6)
【手続補正１】
【補正対象書類名】明細書
【補正対象項目名】００３６
【補正方法】変更
【補正の内容】
【００３６】
【図１】本発明に従う廃棄物処理施設等の建物内負圧コントロール、集塵、排ガス処理システムの代表的なフローチャートである。
【図２】本発明に従う廃棄物処理施設等の建物内負圧コントロール、集塵、排ガス処理システムの他のフローチャートである。
【図３】本発明に従う廃棄物処理施設等の建物内負圧コントロール、集塵、排ガス処理システムの他のフローチャートである。
【図４】本発明に従う廃棄物処理施設等の建物内負圧コントロール、集塵、排ガス処理システムの他のフローチャートである
【図５】本発明に従う廃棄物処理施設等の建物内負圧コントロール、集塵、排ガス処理システムの他のフローチャートである。
【図６】本発明に従う廃棄物処理施設等の建物内負圧コントロール、集塵、排ガス処理システムの他のフローチャートである。
【図７】本発明に従う廃棄物処理施設等の建物内負圧コントロール、集塵、排ガス処理システムの他のフローチャートである
【手続補正２】
【補正対象書類名】明細書
【補正対象項目名】００３７
【補正方法】変更
【補正の内容】
【００３７】１    外側建物２    内側建物３    二重扉（内側）４    二重扉（外側）５    エアシャワー６    圧力計（内側建物内圧、外側建物内圧、大気圧）７    還元溶融処理施設（溶融炉）８    スラグ９    集塵装置（バグフィルター）１０  通風設備（誘引通風機）１１  脱臭設備１２  有害ガス除去装置１３  煙突